(57)【要約】【課題】ディスクに信号を記録することが出来る光ディスク記録再生装置の記録制御方法を提供する。【解決手段】ホスト機器より出力される記録データ信号が記憶されるとともに読み出された記録データ信号がエンコード処理されてディスクに記録されるバッファ用メモリー１５Ａと、該バッファ用メモリー１５Ａから読み出されるとともにエンコードされる記録データ信号が記憶されるエンコード用メモリー１５Ｂを設け、前記バッファ用メモリー１５Ａに記憶されている記録データが不足することにより記録動作を中断させるとき、記録命令信号を受信中の場合には、該記録命令信号に付随する記録データ信号全ての受信動作を行う。【選択図】    図１
2004265530.tif 000002
【特許請求の範囲】
【請求項１】
ホスト機器より出力される記録命令信号に基づいて記録データ信号のディスクへの記録動作を所定の記録単位にて行うように構成された光ディスク記録再生装置において、ホスト機器より出力される記録データ信号が記憶されるとともに読み出された記録データ信号がエンコード処理されてディスクに記録されるバッファ用メモリーと、該バッファ用メモリーから読み出されるとともにエンコードされる記録データ信号が記憶されるエンコード用メモリーを設け、前記バッファ用メモリーに記憶されている記録データが不足することにより記録動作を中断させるとき、記録命令信号を受信中の場合には、該記録命令信号に付随する記録データ信号全ての受信動作を行うようにしたことを特徴とする光ディスク記録再生装置の記録制御方法。
【請求項２】
記録動作の中断動作が行われたとき、バッファ用メモリーに記憶された記録データ信号をエンコード用メモリーにコピーするとともにホスト機器からの記録命令信号の受信動作を再開させるようにしたことを特徴とする請求項１に記載の記録制御方法。
【請求項３】
記録動作の中断が行われたとき、ホスト機器に対して受信可能信号を送信するようにしたことを特徴とする請求項１に記載の記録制御方法。
【発明の詳細な説明】
【０００１】
【発明の属する技術分野】
本発明は、光学式ピックアップより照射されるレーザーによってディスクに信号を記録することが出来る光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
光ディスク記録再生装置としては、ホスト機器であるコンピューター装置と接続されて使用されるものがある。そして、斯かる装置は、コンピューター装置より出力される命令信号に基づいて記録データをディスクに記録するように構成されているとともにディスクへの記録動作を規定の速度よりも高速にて行うように構成されている。
【０００４】
また、ＤＶＤと呼ばれるディスクを使用して記録動作を行うようにされた光ディスク記録再生装置が製品化されているが、斯かる装置では、ＥＣＣ（Ｅｒｒｏｒ  Ｃｏｒｒｅｃｔｉｎｇ  Ｃｏｒｄ）ブロックと呼ばれる所定の記録単位毎にディスクに信号を記録するように構成されている  （例えば、特許文献１参照。）。
【０００５】
【特許文献１】
特開２００２−３１３０２７号公報
【０００６】
【発明が解決しようとする課題】
コンピューター装置から出力される記録データをディスクに記録するためには、記録データが途切れることなくコンピューター装置から光ディスク記録再生装置に対して出力される必要がある。斯かる光ディスク記録再生装置は、コンピューター装置より出力される記録データを一時的に記憶させるバッファと呼ばれるメモリーを備えており、このバッファ用メモリーに記憶された記録データを読み出すことによってディスクに該記録データを記録するように構成されている。
【０００７】
斯かる光ディスク記録再生装置において、コンピューター装置より出力される記録データの供給が滞ると、前記バッファ用メモリー内で次に記録すべき記録データが不足するという状況、所謂バッファアンダーランと呼ばれる状況が発生する。斯かる状況になると、記録データに対するエンコード処理、即ちインターリーブ処理等を施すことが出来なくなり、ディスクへの記録動作が行えないので、異常記録処理されるという問題がある。
【０００８】
斯かるバッファアンダーラン状態になると、記録動作を一旦中断させ、バッファ用メモリーに記憶される記録データの量が増加したとき記録中断位置から記録動作を再開させるようにされた技術が開発され、多くの光ディスク記録再生装置に採用されている。
【０００９】
ＤＶＤと呼ばれるディスクを使用する光ディスク記録再生装置では、前述したようにＥＣＣと呼ばれる１つのブロック単位で信号が記録されるが、このＥＣＣは１６個のセクターにて構成されている。記録動作中にバッファアンダーラン状態になると、ディスクへの記録動作が中断されるとともにコンピューター装置から出力される信号の受信動作を一旦停止させるように構成されている。
【００１０】
コンピューター装置から記録命令信号とともに送信される記録データ信号は、１ＥＣＣ単位、即ち１６セクター分の信号ではなく、例えば２０セクター分の信号が送信される場合がある。斯かる信号を受信中に記録単位である１ＥＣＣ分の記録データ信号を受信したときに受信動作を停止させると光ディスク記録再生装置側からコンピューター装置に対して記録データを受信したことを表す信号を送信することが出来ないので、コンピューター装置は異常処理が行われたと判定し、その後の演算処理を行うことが出来なくなるという問題がある。
【００１１】
本発明は、斯かる問題を解決することが出来る光ディスク記録再生装置の記録制御方法を提供しようとするものである。
【００１２】
【作用】
本発明は、ホスト機器より出力される記録命令信号に基づいて記録データ信号のディスクへの記録動作を所定の記録単位にて行うように構成された光ディスク記録再生装置において、ホスト機器より出力される記録データ信号が記憶されるとともに読み出された記録データ信号がエンコード処理されてディスクに記録されるバッファ用メモリーと、該バッファ用メモリーから読み出されるとともにエンコードされる記録データ信号が記憶されるエンコード用メモリーを設け、前記バッファ用メモリーに記憶されている記録データが不足することにより記録動作を中断させるとき、記録命令信号を受信中の場合には、該記録命令信号に付随する記録データ信号全ての受信動作を行うように構成されている。
【００１３】
【実施例】
図１は本発明に係る光ディスク記録再生装置の一実施例を示すブロック回路図、図２は本発明の動作を説明するための図である。
【００１４】
図１において、１はスピンドルモーター２によって回転駆動されるターンテーブル３に載置されるディスクであり、該ターンテーブル３の回転により回転駆動されるように構成されている。また。前記ディスク１には、位置情報データがプリグルーブと呼ばれる溝によって記録されており、この溝より得られるウォブル信号に基づいて信号の記録再生動作が行われるように構成されている。
【００１５】
４はディスク１に光ビームを照射させるレーザーダイオード及び該レーザーダイオードより照射される光をモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１６】
５は前記光学式ピックアップ４に組み込まれている光検出器から得られるＲＦ信号を増幅するとともに波形成形するＲＦ信号増幅回路、６は前記光学式ピックアップ４より得られる信号に基づいて該光学式ピックアップ４の光ビームをディスク１の信号面に合焦させるフォーカシング制御動作及び該光ビームを前記信号面の信号トラックに追従させるトラッキング制御動作を行うピックアップ制御回路であり、サーボ回路が組み込まれている。
【００１７】
７は前記ＲＦ信号増幅回路５より出力される信号のデジタル信号処理を行うとともに各種信号の復調動作を行うデジタル信号処理回路、８は前記デジタル信号処理回路７にて信号処理されたデジタル信号が入力される信号再生用回路であり、インターフェース９を介してホストとして設けられているコンピューター装置１０に信号を出力する作用を成すものである。
【００１８】
１１は前記デジタル信号処理回路７により復調された信号が入力されるとともに前記コンピューター装置１０から出力される命令信号に応じて種々な制御動作を行うシステム制御回路である。１２はテスト信号や情報信号等の記録信号が入力されるとともにその信号をエンコード処理し、レーザー駆動回路１３によるレーザーの照射動作を制御することによって記録データ信号等を前記ディスク１に記録させる信号記録用回路である。
【００１９】
１４は前記スピンドルモーター２を回転駆動するスピンドルモーター駆動回路であり、ディスク１を所望の回転速度にて駆動するように構成されている。そして、斯かるディスク１の回転速度は、規定の速度だけでなく規定の速度に対して数倍及び数十倍の高速にて駆動することが出来るように構成されている。
【００２０】
１５はメモリー回路であり、コンピューター装置１０より出力される記録データ信号が一時的に記憶されるバッファ用メモリー１５Ａと、記録動作時前記バッファ用メモリー１５Ａより読み出された記録データ信号がエンコード処理されるために記憶されるエンコード用メモリー１５Ｂとが設けられているとともにその書き込み動作及び読み出し動作は前記システム制御回路１１によって制御されるように構成されている。
【００２１】
以上の如く、本発明に係る光ディスク記録再生装置は構成されているが、次に斯様に構成された回路における再生動作について説明する。コンピューター装置１０より再生動作を行うための命令信号が出力されると、その命令信号がインターフェース９を介してドライブ装置を構成するシステム制御回路１１に入力される。
【００２２】
斯かる再生のための命令信号がシステム制御回路１１に入力されると、該システム制御回路１１による再生動作のための制御動作が開始される。斯かる再生動作が行われる場合には、光学式ピックアップ４に組み込まれているレーザーダイオードには、信号の読み出し動作を行うためのレーザー出力が得られる駆動電流がレーザー駆動回路１３より供給されるように設定されている。
【００２３】
斯かる再生動作のための制御動作が開始されると、スピンドルモーター駆動回路１４によるスピンドルモーター２の回転制御動作が行われるが、斯かるスピンドルモーター２の回転制御動作は、ウォブル信号をデコードして得られる同期信号と基準信号生成回路（図示せず）より出力される基準信号とを比較することによりディスク１を所望の線速度一定にて回転駆動するように行われる。斯かる制御動作は、後述する信号の記録動作時にも同様に行われる。
【００２４】
スピンドルモーター２の回転制御動作は、以上の如く行われるが、信号の読み出し動作を行う光学式ピックアップ４では、フォーカシング制御動作及びトラッキング制御動作が開始されて該光学式ピックアップ４によるディスク１からの信号の読み出し動作が行われる。そして、信号記録領域に記録されている信号の再生動作は、まず、ディスク１のリードイン領域に記録されているＴＯＣデータの読み出し動作を行うことから開始される。
【００２５】
ディスク１に記録されているデータ信号の読み出し再生動作は、リードイン領域に記録されているＴＯＣデータに基づいて行われることになる。前記光学式ピックアップ４によって読み出された信号は、ＲＦ信号増幅回路５を通して増幅及び波形成形された後デジタル信号処理回路７に入力されて信号の復調動作が行われる。前記デジタル信号処理回路７により信号処理が行われて情報データが抽出されると、該情報データは誤り訂正等の信号処理が行われた後、信号再生用回路８に印加される。そして、前記信号再生用回路８に入力された信号は、インターフェース９を介してコンピューター装置１０に出力されることになる。
【００２６】
以上に説明したように本実施例における再生動作は行われるが、次にディスク１への信号の記録動作について説明する。
【００２７】
ディスク１に信号を記録する動作は、まずディスク１に設けられている試し書き領域にテスト信号を記録及び再生することにより記録動作に最適なレーザー出力が得られる駆動電流がレーザーダイオードに供給されるように設定される。斯かるレーザー出力の設定動作が行われると、ディスク１に記録されている信号の位置情報等が記録されているバッファ領域に記録されている情報データを読み出す動作が行われる。
【００２８】
このようにして読み出された情報データに基づいてディスク１に設けられている信号記録領域にデータ信号の記録動作が可能であるか、また、記録動作を行う位置は何処か等の認識動作が行われる。バッファ領域に記録されている情報データに基づいて記録位置の設定が行われ、その後設定された位置より信号が記録されることになるが、コンピューター装置１０より出力される記録信号であるデータ信号は、バッファ用メモリー１５Ａに一旦書き込まれる。
【００２９】
前記バッファ用メモリー１５Ａへの記録データの書き込み動作が行われると、該バッファ用メモリー１５Ａに記憶される信号の記憶量が次第に増加することになる。その記憶量が所定量を越えると、前記バッファ用メモリー１５Ａに記憶されている記録データ信号の読み出し動作が行われ、エンコード処理を行うために設けられているエンコード用メモリー１５Ｂに書き込まれる。
【００３０】
前記エンコード用メモリー１５Ｂに記憶された記録データ信号は、信号記録用回路１２によるエンコード処理が周知のように行われてレーザー駆動回路１３に記録信号として供給される。斯かる記録信号がレーザー駆動回路１３に供給されると、該レーザー駆動回路１３から光学式ピックアップ４に組み込まれているレーザーダイオードに対して駆動信号が印加されるので、コンピューター装置１０より出力された記録データ信号がディスク１に記録されることになる。
【００３１】
斯かる動作によってディスク１への記録データ信号の記録動作は行われるが、前記バッファ用メモリー１５Ａへの信号の書き込み動作は、該バッファ用メモリー１５Ａからの信号の読み出し動作に応じて行われるように構成されている。このようにディスク１への記録データ信号の記録動作は行われるが、信号記録用回路１２によるデコード処理によってＥＣＣと呼ばれるブロック単位で記録されることになる。図２において、Ａ、Ｂ、Ｃがこのようにして記録されるブロックであり、１ＥＣＣは、１６のセクターにて構成されている。
【００３２】
以上に説明したように光ディスク記録再生装置における一般的な記録動作は行われるが、次に本発明の動作について説明する。
【００３３】
光ディスク記録再生装置は、ホスト機器として接続されているコンピューター装置１０から出力される記録命令信号に基づいて記録動作を行うように構成されているが、信号の授受動作は次のように行われる。即ち、コンピューター装置１０から記録命令信号とともに記録データ信号が送信されるが、斯かる信号を全て受信すると光ディスク記録再生装置側から信号を全て受信したことを示す信号をコンピューター装置１０に対して送信する動作が行われる。斯かる信号を受信することによってコンピューター装置１０は記録データ信号の送信動作が正常に行われたことを認識することが出来、次の記録データを記録するため記録命令信号を出力することになる。斯かる信号の送受信動作を光ディスク記録再生装置とコンピューター装置１０との間で繰り返し行うことによって記録データ信号のディスク１への記録動作を行うことが出来る。
【００３４】
コンピューター装置１０から出力される記録データ信号の量がディスク１に記録するためにバッファ用メモリー１５Ａから読み出される記録データ信号の量より少なくなると、該バッファ用メモリー１５Ａに記憶されている記録データ信号の量が少なくなり、その量が所定値以下になるとバッファアンダーラン状況になる。斯かる状況になるとディスク１への信号の記録動作を中断させる動作が周知の技術によって行われるが、その中断位置はブロック単位で行われる。
【００３５】
記録の中断動作をブロック単位で行うと、記録中断後の記録再開動作をブロックの冒頭部より再開させることによって記録中断前に記録された信号と記録再開後に記録される信号との連続性を保つことが容易に行えるからである。
【００３６】
バッファアンダーラン状況になると、システム制御回路１１の働きによってディスク１への記録動作が中断されるが、斯かる中断動作が行われるときコンピューター装置１０から出力される信号の受信動作を一旦停止させるが、本発明では、記録動作を中断させるときに受信されていた記録命令信号に付随する記録データ信号を全て受信した後に受信動作を停止させるという動作を行うように構成されている。
【００３７】
例えば、記録動作を中断させる場合にコンピューター装置１０より送信されていた記録信号の長さが２０セクター分あった場合には、その中の１６セクター分はディスク１に記録処理することが出来るが、残りの４セクター分は記録されないことになる。この４セクター分の信号は、記録命令信号の受信動作によってバッファ用メモリー１５Ａに記憶された状態にある。そして、記録動作の中断に伴う受信動作の停止動作が行われると、バッファ用メモリー１５Ａに記憶されていた４セクター分の信号をエンコード用メモリー１５Ｂにコピーさせるという動作が行われるとともにコンピューター装置１０に対して記録命令信号を受信することが可能であることを示す信号を送信する。
【００３８】
バッファアンダーラン状況になると前述したように記録中断動作が行われるが、コンピューター装置１０から送信中の記録命令信号に付随する記録データ信号は全て受信した後に送信信号の受信中断動作を一旦停止するようにしたので、コンピューター装置１０の演算処理動作に支障を来たすことは無い。そして、記録中断動作が行われた後はコンピューター装置１０に対して記録命令信号を送信することが可能であることを示す信号を送信するようにしたので、コンピューター装置１０は記録信号の送信動作を行う状況になったときに記録命令信号とともに該記録データ信号を光ディスク記録再生装置に対して送信することになる。
【００３９】
記録動作が中断された状態において、コンピューター装置１０から記録命令信号とともに記録データ信号が送信されると、光ディスク記録再生装置側の受信動作が行われることになる。コンピューター装置１０から送信される記録データ信号は、バッファ用メモリー１５Ａに書き込まれ、その記憶量が所定量に達するとディスク１への記録動作が記録中断位置より再開されることになる。
【００４０】
そして、前記バッファ用メモリー１５Ａから読み出された記録データ信号は、エンコード用メモリー１５Ｂに記憶されている４セクター分の信号とともに１６セクター分、即ち１ＥＣＣ単位の信号にエンコード処理されてレーザー駆動回路１３に供給される。斯かる動作によって記録動作が開始される結果、ディスク１には図２のＤで示すように中断される前に記録されたブロックＣに続けて記録データ信号が記録されることになる。
【００４１】
前述したようにバッファアンダーラン状態になると記録中断再開動作が行われるが、記録中断動作行われるときに受信中の記録命令信号及び記録データ信号の受信動作を行った後に受信動作を中断させるようにしたので、コンピューター装置１０の演算処理に対して悪影響を与えることはない。
【００４２】
【発明の効果】
本発明は、ホスト機器より出力される記録命令信号に基づいて記録データ信号のディスクへの記録動作を所定の記録単位にて行うように構成された光ディスク記録再生装置において、ホスト機器より出力される記録データ信号が記憶されるとともに読み出された記録データ信号がエンコード処理されてディスクに記録されるバッファ用メモリーと、該バッファ用メモリーから読み出されるとともにエンコードされる記録データ信号が記憶されるエンコード用メモリーを設け、前記バッファ用メモリーに記憶されている記録データが不足することにより記録動作を中断させるとき、記録命令信号を受信中の場合には、該記録命令信号に付随する記録データ信号全ての受信動作を行うようにしたので、コンピューター装置の演算処理に対して悪影響を与えることはない。
【００４３】
また、本発明は、記録動作の中断動作が行われたとき、バッファ用メモリーに記憶された記録データ信号をエンコード用メモリーにコピーするとともにホスト機器からの記録命令信号の受信動作を再開させるようにしたので、記録再開動作を速やかに行うことが出来る。
【００４４】
そして、本発明は、記録動作の中断が行われたとき、ホスト機器に対して受信可能信号を送信するようにしたのでホスト機器からの記録データ信号の送信動作を行うことが出来る状況にあることを速やかに認識することが出来る。
【図面の簡単な説明】
【図１】本発明に係る光ディスク記録再生装置の一実施例を示すブロック回路図である。
【図２】本発明の動作を説明するための図である。
【符号の説明】
１        ディスク
２        スピンドルモーター
４        光学式ピックアップ
７        デジタル信号処理回路
８        信号再生用回路
１０        コンピューター装置
１１        システム制御回路
１２        信号記録用回路
１５        メモリー回路
１５Ａ      バッファ用メモリー
１５Ｂ      エンコード用メモリー
【図１】
2004265530.tif 000003
【図２】
2004265530.tif 000004